(57)【特許請求の範囲】
【請求項１】
パッケージするために、および／またはオーバーパック内への挿入のために、ライナーを折り畳む方法であって、該方法は、
ライナーを提供することであって、該ライナーは、実質的に管状の本体部分と、閉じた上部および閉じた底部と、該ライナーの該上部に形成または付着されたもののうちの少なくとも１つである取付具とを含む、ことと、
該ライナーの該底部のパネルにガセットを形成することと、
該底部のパネルにおいて該ガセットを形成した後に、該ライナーを扇状に折り畳むことであって、該扇状に折り畳むことは、該取付具の周りで対称的である、ことと
を含む、方法。
【請求項２】
前記ライナーの前記上部は、実質的に円形の上部パネルを含み、該ライナーの前記底部は、実質的に円形の底部パネルを含み、該上部パネルは、前記管状の本体部分の一端に取り付けられ、該底部パネルは、該管状の本体部分の反対端に取り付けられ、前記取付具は、該ライナーの該上部パネルに付着されている、請求項１に記載の方法。
【請求項３】
前記ライナーは、可撓なブロー成形されたライナーである、請求項１に記載の方法。
【請求項４】
前記ライナーは、扇状に折り畳まれ、該扇状に折り畳まれたライナーの幅は５インチよりも小さい、請求項２に記載の方法。
【請求項５】
前記ライナーは、扇状に折り畳まれ、該扇状に折り畳まれたライナーの幅は３インチよりも小さい、請求項４に記載の方法。
【請求項６】
前記ライナーは、扇状に折り畳まれ、該扇状に折り畳まれたライナーの幅は２インチよりも小さい、請求項５に記載の方法。
【請求項７】
前記管状の本体部分は、管を形成するために溶接された少なくとも１つの長方形パネルを含み、前記ライナーの該本体部分におけるガセットは、溶接継目に沿っている、請求項２に記載の方法。
【請求項８】
前記ライナーの前記取付具および上部を前記本体部分から離れる方向へ引くことをさらに含む、請求項１に記載の方法。
【請求項９】
パッケージするために、および／またはオーバーパック内への挿入のために、ライナーを折り畳む方法であって、該方法は、
ライナーを提供することであって、該ライナーは、実質的に管状の本体部分と、閉じた上部および閉じた底部と、該ライナーの該上部に形成または付着されたもののうちの少なくとも１つである取付具とを含む、ことと、
該ライナーの該底部のパネルにガセットを形成することと、
該ライナーの該本体部分にガセットを形成することと、
該底部のパネルにおいて該ガセットを形成した後、かつ、該本体部分上に該ガセットを形成した後に、該ライナーを扇状に折り畳むことと
を含み、
該ライナーの該上部の第１の部分が該ガセットを付けられた本体部分の第１の側面上に折り畳まれ、かつ、該ライナーの該上部の第２の部分が該ガセットを付けられた本体部分の第２の側面上に折り畳まれるように、該ライナーの該上部を該ガセットを付けられた本体部分の外側側面上に折り畳むことをさらに含む、方法。
【請求項１０】
前記折り畳まれたライナーは、膨張状態または充填状態に拡張された場合の該ライナーの高さよりも低い全体高さを有する、請求項９に記載の方法。
【請求項１１】
前記ライナーの前記上部の前記第１の部分および第２の部分は、サイズが実質的に類似し、それによって、該ライナーの該上部を実質的に半分に分割している、請求項９に記載の方法。
【請求項１２】
前記扇状に折り畳まれたライナーを外側パッケージング内において真空パッケージすることをさらに含む、請求項１に記載の方法。
【請求項１３】
前記扇状に折り畳まれたライナーを滅菌することをさらに含む、請求項１２に記載の方法。
【請求項１４】
パッケージすることおよび／またはオーバーパック内への挿入のための折り畳まれたライナーであって、該折り畳まれたライナーは、
実質的に管状の本体部分と、閉じた上部および閉じた底部と、該ライナーの該上部に形成または付着されたもののうちの少なくとも１つである取付具と、
該ライナーの該底部に形成されたガセットと
を含み、該ガセットを付けられたライナーは、該管状の本体部分の長さに沿って、かつ、該取付具の周りで対称的に、扇状に折り畳まれている、折り畳まれたライナー。
【請求項１５】
前記ライナーの前記閉じた上部は、実質的に円形の上部パネルを含み、該ライナーの前記閉じた底部は、実質的に円形の底部パネルを含み、該上部パネルは、該管状の本体部分の一端に熱融着され、該底部パネルは、該管状の本体部分の反対端に熱融着されている、請求項１４に記載の折り畳まれたライナー。
【請求項１６】
前記ライナーは、溶接継目を有しない可撓なブロー成形されたライナーである、請求項１４に記載の折り畳まれたライナー。
【請求項１７】
ブロー成形中に前記ライナーにパターン付けされた事前折目線をさらに含む、請求項１６に記載の折り畳まれたライナー。
【請求項１８】
パッケージすることおよび／またはオーバーパック内への挿入のための折り畳まれたライナーであって、該折り畳まれたライナーは、
実質的に管状の本体部分と、閉じた上部および閉じた底部と、該ライナーの該上部に形成または付着されたもののうちの少なくとも１つである取付具と、
該ライナーの該底部に形成されたガセットと、
該ライナーの該管状の本体部分に形成されたガセットと
を含み、該ガセットを付けられたライナーは、該管状の本体部分の長さに沿って扇状に折り畳まれており、該ライナーの該上部の第１の略半体が該本体部分の第１の側面上に折り畳まれ、かつ、該ライナーの該上部の第２の略半体が該本体部分の第２の側面上に折り畳まれるように、該ライナーの該上部は、該本体部分の外側側面上に折り畳まれている、折り畳まれたライナー。
【請求項１９】
前記折り畳まれたライナーは、膨張状態または充填状態に拡張された場合の該ライナーの高さよりも低い全体高さを有する、請求項１８に記載の折り畳まれたライナー。
【請求項２０】
前記折り畳まれたライナーは、滅菌され、外側パッケージング内において真空パッケージされている、請求項１４に記載の折り畳まれたライナー。
【請求項２１】
前記ライナーを扇状に折り畳むことの前に、該ライナーの前記本体部分にガセットを形成することをさらに含む、請求項１に記載の方法。
【請求項２２】
前記ライナーの前記管状の本体部分に形成されたガセットをさらに含む、請求項１４に記載の折り畳まれたライナー。
【発明の詳細な説明】
【技術分野】
【０００１】
（発明の分野）
本開示は、ライナーに基づいた保管および分配システムに関連する。より具体的には、本開示は、オーバーパックとの使用のためのライナーに関連する。より具体的には、本開示は、オーバーパックと共に使用され、かつオーバーパック内に挿入され得るライナーのための有利な折畳パターンに関連する。
【背景技術】
【０００２】
（発明の背景）
材料を保管、移送、および／または分配するために、数多くの用途が、ライナーを使用する。１つのタイプの保管および分配システムは、オーバーパックと共に使用されるライナーを含む。例えば、ライナーは、材料で充填され得、その材料は、保管され、移送され、その後、分配され得る。ライナーは、概して、可撓なライナーであり得、可撓なライナーは、ライナーよりも固く自立し得る外側コンテナ内に配置され得る。典型的に、そのようなシステムは、ライナーが外側コンテナの口を通して外側コンテナ内に挿入されることを要求する。外側コンテナの口のサイズに応じて、ライナーの挿入は、困難であり得、かつ／または挿入手順の間、ライナーにストレスを与えるか、またはライナーに有意にストレスを与え得る。ライナーにストレスを与えることは、ライナーを弱化、損傷または破壊させ得、時間および／または材料の浪費をもたらす。したがって、比較的に小さなストレスをライナーにかけ、さらに比較的に挿入することが簡単である外側コンテナ内に挿入することが比較的に簡単であり得るライナーに対するニーズが存在する。
【発明の概要】
【課題を解決するための手段】
【０００３】
（発明の簡単な概要）
一実施形態において、本開示は、パッケージするために、および／またはオーバーパック内への挿入のために、ライナーを折り畳む方法に関連する。本方法は、ライナーを提供することであって、そのライナーは、実質的に管状の本体部分と、閉じた上部および閉じた底部と、ライナーの上部に形成または付着された取付具とを含む、ことと、ライナーの底部のパネルにガセットを形成することと、ライナーの本体部分にガセットを形成することと、底部のパネルにおけるガセットおよび本体部分上のガセットを用いて、ライナーを扇状に折り畳むこととを含む。いくつかの実施形態において、ライナーの上部は、実質的に円形の上部パネルを含み得、ライナーの底部は、実質的に円形の底部パネルを含み得、上部パネルは、管状の本体部分の一端に取り付けられ、底部パネルは、管状の本体部分の反対端に取り付けられている。そのような場合、取付具は、ライナーの上部パネルに付着され得る。他の実施形態において、ライナーは、可撓なブロー成形されたライナーであり、それによって、溶接継目を有しない。いくつかの実施形態において、ライナーは、扇状に折り畳まれ、扇状に折り畳まれたライナーの幅は５インチよりも小さく、好ましくは３インチよりも小さく、いくつかの実施形態において、下限２インチであるか、またはそれよりも小さい。管状の本体部分は、管を形成するために一緒に溶接された１つまたは複数の長方形パネルから成り得る。いくつかのそのような実施形態において、ライナーの本体部分におけるガセットは、溶接継目に沿って形成され得る。本方法は、扇状に折り畳む前に、ライナーの取付具および上部を本体部分から離れる方向へ引くことをさらに含み得る。他の実施形態において、本方法は、下記にさらに詳細に説明されるように、ライナーの上部の第１の部分がガセットを付けられた本体部分の第１の側面上に折り畳まれ、かつ、ライナーの上部の第２の部分がガセットを付けられた本体部分の第２の側面上に折り畳まれるように、ライナーの上部をガセットを付けられた本体部分の外側側面上に折り畳むことを含み得る。そのように折り畳むことは、折り畳まれたライナーが、膨張状態または充填状態に拡張された場合のライナーの高さよりも低い全体高さを有することを可能にし得、それは、ライナーを充填する場合にライナーの展開をより効果的に制御するために有利であり得る。追加の実施形態において、扇状に折り畳まれたライナーは、滅菌され、かつ／または真空パッケージされ得る。
【０００４】
別の実施形態において、本開示は、パッケージすることおよび／またはオーバーパック内への挿入のための折り畳まれたライナーに関連する。折り畳まれたライナーは、実質的に管状の本体部分と、閉じた上部および閉じた底部と、ライナーの上部に形成または付着された取付具と、ライナーの底部に形成されたガセットと、ライナーの管状の本体部分に形成されたガセットとを含み得る。ガセットを付けられたライナーは、管状の本体部分の長さに沿って扇状に折り畳まれ得る。特定の実施形態において、ライナーの閉じた上部は、実質的に円形の上部パネルを含み得、ライナーの閉じた底部は、実質的に円形の底部パネルを含み得、上部パネルは、管状の本体の一端に熱融着され、底部パネルは、管状の本体の反対端に熱融着されている。他の実施形態において、ライナーは、溶接継目を有しない可撓なブロー成形されたライナーである。さらなる実施形態において、事前折目線が、ブロー成形中にライナーにパターン付けされ得る。ライナーは、扇状に折り畳まれ、扇状に折り畳まれたライナーの幅は５インチよりも小さく、好ましくは３インチよりも小さく、いくつかの実施形態において、下限２インチであるか、またはそれよりも小さい。いくつかの実施形態において、ライナーの上部の第１の半体が本体部分の第１の側面上に折り畳まれ、かつ、ライナーの上部の第２の半体が本体部分の第２の側面上に折り畳まれるように、ライナーの上部は、本体部分の外側側面上に折り畳まれる。いくつかの実施形態において、適切に折り畳まれた場合、折り畳まれたライナーは、膨張状態または充填状態に拡張された場合のライナーの高さよりも低い全体高さを有し得る。追加の実施形態において、折り畳まれたライナーは、滅菌され、かつ／または外側パッケージング内において真空パッケージされ得る。
【０００５】
本明細書は、例えば、以下の項目も提供する。
（項目１）
パッケージするために、および／またはオーバーパック内への挿入のために、ライナーを折り畳む方法であって、該方法は、
ライナーを提供することであって、該ライナーは、実質的に管状の本体部分と、閉じた上部および閉じた底部と、該ライナーの該上部に形成または付着されたもののうちの少なくとも１つである取付具とを含む、ことと、
該ライナーの該底部のパネルにガセットを形成することと、
該ライナーの該本体部分にガセットを形成することと、
該底部のパネルにおける該ガセットおよび該本体部分上の該ガセットを用いて、該ライナーを扇状に折り畳むことと
を含む、方法。
（項目２）
前記ライナーの前記上部は、実質的に円形の上部パネルを含み、該ライナーの前記底部は、実質的に円形の底部パネルを含み、該上部パネルは、前記管状の本体部分の一端に取り付けられ、該底部パネルは、該管状の本体部分の反対端に取り付けられ、前記取付具は、該ライナーの該上部パネルに付着されている、請求項１に記載の方法。
（項目３）
前記ライナーは、可撓なブロー成形されたライナーである、項目１に記載の方法。
（項目４）
前記ライナーは、扇状に折り畳まれ、該扇状に折り畳まれたライナーの幅は５インチよりも小さい、項目２に記載の方法。
（項目５）
前記ライナーは、扇状に折り畳まれ、該扇状に折り畳まれたライナーの幅は３インチよりも小さい、項目４に記載の方法。
（項目６）
前記ライナーは、扇状に折り畳まれ、該扇状に折り畳まれたライナーの幅は２インチよりも小さい、項目５に記載の方法。
（項目７）
前記管状の本体部分は、管を形成するために溶接された少なくとも１つの長方形パネルを含み、前記ライナーの該本体部分におけるガセットは、溶接継目に沿っている、項目２に記載の方法。
（項目８）
前記ライナーの前記取付具および上部を前記本体部分から離れる方向へ引くことをさらに含む、項目１に記載の方法。
（項目９）
前記ライナーの前記上部の第１の部分が前記ガセットを付けられた本体部分の第１の側面上に折り畳まれ、かつ、該ライナーの該上部の第２の部分が該ガセットを付けられた本体部分の第２の側面上に折り畳まれるように、該ライナーの該上部を該ガセットを付けられた本体部分の外側側面上に折り畳むことをさらに含む、項目１に記載の方法。
（項目１０）
前記折り畳まれたライナーは、膨張状態または充填状態に拡張された場合の該ライナーの高さよりも低い全体高さを有する、項目９に記載の方法。
（項目１１）
前記ライナーの前記上部の前記第１の部分および第２の部分は、サイズが実質的に類似し、それによって、該ライナーの該上部を半分に分割している、項目９に記載の方法。
（項目１２）
前記扇状に折り畳まれたライナーを外側パッケージング内において真空パッケージすることをさらに含む、項目１に記載の方法。
（項目１３）
前記扇状に折り畳まれたライナーを滅菌することをさらに含む、項目１２に記載の方法。
（項目１４）
パッケージすることおよび／またはオーバーパック内への挿入のための折り畳まれたライナーであって、該折り畳まれたライナーは、
実質的に管状の本体部分と、閉じた上部および閉じた底部と、該ライナーの該上部に形成または付着されたもののうちの少なくとも１つである取付具と、
該ライナーの該底部に形成されたガセットと、
該ライナーの該管状の本体部分に形成されたガセットと
を含み、該ガセットを付けられたライナーは、該管状の本体部分の長さに沿って扇状に折り畳まれている、折り畳まれたライナー。
（項目１５）
前記ライナーの前記閉じた上部は、実質的に円形の上部パネルを含み、該ライナーの前記閉じた底部は、実質的に円形の底部パネルを含み、該上部パネルは、該管状の本体の一端に熱融着され、該底部パネルは、該管状の本体の反対端に熱融着されている、項目１４に記載の折り畳まれたライナー。
（項目１６）
前記ライナーは、溶接継目を有しない可撓なブロー成形されたライナーである、項目１４に記載の折り畳まれたライナー。
（項目１７）
ブロー成形中に前記ライナーにパターン付けされた事前折目線をさらに含む、項目１６に記載の折り畳まれたライナー。
（項目１８）
前記ライナーの前記上部の第１の略半体が前記本体部分の第１の側面上に折り畳まれ、かつ、該ライナーの該上部の第２の略半体が該本体部分の第２の側面上に折り畳まれるように、該ライナーの該上部は、該本体部分の外側側面上に折り畳まれている、項目１４に記載の折り畳まれたライナー。
（項目１９）
前記折り畳まれたライナーは、膨張状態または充填状態に拡張された場合の該ライナーの高さよりも低い全体高さを有する、項目１８に記載の折り畳まれたライナー。
（項目２０）
前記折り畳まれたライナーは、滅菌され、外側パッケージング内において真空パッケージされている、項目１４に記載の折り畳まれたライナー。
複数の実施形態が開示されるが、本開示のさらに他の実施形態が、本発明の例証的な実施形態を示しかつ説明する以下の詳細な説明から当業者にとって明白になる。理解されるように、本開示の種々の実施形態は、本発明の精神および範囲から逸脱することなく、種々の明白な局面において変更することが可能である。したがって、図面および詳細な説明は、本質的に例証としてみなされ、限定としてはみなされない。
【０００６】
本明細書は、本開示の種々の実施形態を形成するものとしてみなされる主題を特に指し示し、はっきりと主張している特許請求の範囲で結ばれるが、本発明は、添付の図面と共に考慮される以下の説明からより良く理解されるはずである。
【図面の簡単な説明】
【０００７】
【図１】図１は、本開示の実施形態に従った、ライナーに基づいたシステムの断面図である。
【図２Ａ】図２Ａは、本開示の実施形態に従った、底部ガセット折目を有するライナーの斜視図である。
【図２Ｂ】図２Ｂは、本開示の実施形態に従った、側面ガセット折目を有するライナーの斜視図である。
【図２Ｃ】図２Ｃは、本開示の実施形態に従った、取付具が外向きに引き伸ばされた折り畳まれたライナーの斜視図である。
【図２Ｄ】図２Ｄは、本開示の実施形態に従った、平らにされた折り畳まれたライナーの斜視図である。
【図２Ｅ】図２Ｅは、本開示の実施形態に従った、扇状に折り畳まれたライナーの斜視図である。
【図２Ｆ】図２Ｆは、本開示の実施形態に従った、パッケージされた折り畳まれたライナーの斜視図である。
【図３Ａ】図３Ａは、本開示の別の実施形態に従った、折り畳まれたライナーの断面図を示す。
【図３Ｂ】図３Ｂは、扇状折畳パターンの一実施形態を図示する、平らにされたライナーの平面図である。
【図４】図４Ａ〜図４Ｆは、本開示の一実施形態に従った、図３Ａのライナーが圧力下どのように拡張するかを示すカットアウェイ図である。
【発明を実施するための形態】
【０００８】
（詳細な説明）
本開示は、新規かつ有利な、ライナーに基づいた保管および分配システムに関連する。より具体的には、本開示は、オーバーパック内に挿入され得るライナーのための新規かつ有利な折畳パターンに関連する。
【０００９】
ライナーは、１つまたは複数の層を含み得、ライナーは、概して、任意の適した厚さを有し得る。いくつかの実施形態において、ライナーの全体厚は、公知のオーバーパックと共に従来使用されているライナーの厚さよりも大きくあり得る。ライナーは、いくつかの実施形態において、ライナーが中に配置されるオーバーパックの形状に実質的に従い得る。ライナーを構成するフィルムの共形形状および／または特質（使用される材料および／またはライナーの厚さを含む）は、ライナーに基づいたシステムに所望の特性を有利に提供し得、その所望の特性は、増加した分配性と、フォールドガス（ｆｏｌｄ  ｇａｓ）、ピンホール、および／または溶接裂目の低減または排除と、ライナー取付具に対する負荷およびストレスの低減とを含むが、これらに限定されない。
【００１０】
本開示のライナーおよびライナーに基づいたシステムの例示的使用は、例えば、小型電子部品製造、半導体製造、およびフラットパネルディスプレイ製造のような産業における使用のための超高純度化学物質および／または材料（例えば、フォトレジスト、バンプレジスト、洗浄溶媒、ＴＡＲＣ／ＢＡＲＣ（上面反射防止コーティング／底面反射防止コーティング）、低重量ケトン、および／または銅化学物質）を運送および分配することを含み得るが、これらに限定されない。追加の使用は、酸、溶媒、塩基、スラリー、洗浄剤、ドーパント、無機物、有機物、有機金属、ＴＥＯＳ、および生物学的溶剤、薬剤、および放射性化学物質を運送および分配することを含み得るが、これらに限定されない。しかしながら、そのようなライナーは、他の産業において、他の製品（例えば、塗料、清涼飲料、調理油、接着剤、農薬、健康および口腔衛生製品、およびトイレタリー製品などであるが、これらに限定されない）を運送および分配するためにさらに使用され得る。当業者は、そのようなライナーに基づいたシステムの利益およびライナーの製造工程を認識し、したがって、種々の産業における使用、および種々の製品の運送および分配に対するライナーの適合性を認識する。
【００１１】
いくつかの実施形態において、本開示のライナーは、既存のオーバーパックおよび／または分配システムとの使用に適合性があるように構成され得る。したがって、本開示のライナーは、種々の産業における既存のオーバーパックまたはコンテナのための開口部内にはまるように、いくつかの場合には実質的に容易にはまるように設計され得る。
【００１２】
図１は、本開示のライナーに基づいたシステムの一実施形態を示す。図１のシステム１００は、オーバーパック２と、ライナー４とを含み得る。オーバーパック２は、ライナー４を受け取ることが可能な中空の内部を有する。いくつかの実施形態において、オーバーパック２は、材料を保管および／または分配するために使用される従来のオーバーパック（例えば、既存のドラム、またはキャニスター）を含み、例えば、図１に図示された開口部よりも大きな開口部を有するオーバーパック、および蓋または上部全体が開くオーバーパックを含み得る。他の実施形態において、オーバーパック２は、特定の形状および／またはサイズを有するように設計され得、略円筒形、台形、長方形などの形状を含むが、これらに限定されない。いくつかの実施形態において、図１に示されるようなオーバーパック２は、実質的な円筒形または樽状形状を有し得、任意の適した円周および／または高さを含む任意の適した形状を有し得る。オーバーパック２は、任意の適した実質的に堅い材料（例えば、金属、ガラス、木材、プラスチック、複合材、波形材料、板紙、または他の任意の適した材料または材料の組み合わせであるが、これらに限定されない）から構成され得る。同様に、オーバーパック２は、任意の工程（例えば、スタンピング、マシニング、成型、射出ブロー成形、射出ストレッチブロー成形、押出など）を使用して製造され得る。オーバーパック２は、単一の構成要素として製造され得るか、または複数の構成要素の組み合わせであり得る。いくつかの実施形態において、オーバーパック２は、例えば、１９Ｌ、４０Ｌ、または２００Ｌの公知のドラムまたはキャニスターを含み得る。
【００１３】
オーバーパック２は、閉鎖具および／または接続アセンブリ２４も含み得る。図１に示される一実施形態において、閉鎖具および接続アセンブリ２４は、取付具保持具１４と、閉鎖具２０と、シッピングキャップ２１とを含み得る。既存または公知のオーバーパック２を含む本開示の実施形態において、オーバーパック２と共に従来使用されてきた閉鎖具および／または接続アセンブリ２４が、使用され得る。本開示のいくつかの実施形態に関して使用され得るそのような閉鎖具および／または接続アセンブリの例は、国際ＰＣＴ特許出願第ＰＣＴ／ＵＳ１１／５６２９１号（２０１１年１０月１４日出願、名称「Ｃｏｎｎｅｃｔｏｒｓ  ｆｏｒ  Ｌｉｎｅｒ−Ｂａｓｅｄ  Ｄｉｓｐｅｎｓｅ  Ｃｏｎｔａｉｎｅｒｓ」）および米国特許出願第１２／９８２，１６０号（２０１０年１２月３０日出願、名称「Ｃｌｏｓｕｒｅ／Ｃｏｎｎｅｃｔｏｒ  ｆｏｒ  Ｌｉｎｅｒ−Ｂａｓｅｄ  Ｄｉｓｐｅｎｓｅ  Ｃｏｎｔａｉｎｅｒｓ」）に詳細に説明され、これによって、それらの各々は、その全体が本明細書中に参照によって援用される。他の実施形態において、閉鎖具および／または接続アセンブリ２４は、任意の適したサイズおよび／または形状のオーバーパックに接続するように適切に適合され得る。
【００１４】
システム１００のライナー４は、いくつかの実施形態において、取付具１０を含み得る。ライナー４は、任意の所望の形状（枕状形状、円筒形形状、長方形形状、立方体形状、台形形状、または他の任意の適した形状を含むが、これらに限定されない）であり得る。いくつかの実施形態において、ライナーは、拡張状態にある場合、図１に見られ得るように、オーバーパック２の内部空洞の形状に実質的に従い得る。しかしながら、他の実施形態において、ライナーは、オーバーパックとはわずかに異なるサイズおよび／または形状であり得るか、または他の実施形態において、ライナーは、オーバーパックとは有意に異なるサイズおよび／または形状であり得る。本開示の実施形態に関して使用され得るそのような非共形ライナーの例は、国際ＰＣＴ特許出願第ＰＣＴ／ＵＳ１１／５５５５８号（２０１１年１０月１０日出願）および米国特許出願第６１／４９９，２５４号に説明され、それらは、その全体が本明細書中に参照によって援用される。潰された状態または折り畳まれた状態において、下記にさらに詳細に説明されるように、ライナー４は、ライナー４がオーバーパック２のオーバーパックネック６を通ってはまるように潰されるか、または折り畳まれ得る。ライナー４の取付具１０は、ライナー４がオーバーパック２内に挿入される場合に、ライナー４の取付具１０がオーバーパック２の取付具保持具１４および／またはネック６の内側にぴったり収まり得るように構成され得る。いくつかの実施形態において、オーバーパック２の取付具保持具１４は、ライナー４の取付具１０および／またはオーバーパック２のネック６に取り外し可能に固定され得、それによって、ライナーをオーバーパック内に保持する。
【００１５】
ライナー４の取付具１０は、ライナー４の上部部分と一体をなし得る。取付具１０は、取付具１０がオーバーパック２の取付具保持具１４および／またはネック６の内側に配置され得るように、かつ／またはオーバーパック２の閉鎖具および／または接続具アセンブリ２４のうちのいくつかまたはすべての構成要素と適合性があり得るようにサイズを合わせられ、かつ形作られ得る。取付具１０は、任意の適した材料または材料の組み合わせから構成され得る。例えば、高密度ポリエチレン（ＨＤＰＥ）、直鎖状低密度ポリエチレン（ＬＬＤＰＥ）、ポリテトラフルオロエチレン（ＰＴＦＥ）、および／またはパーフルオロアルコキシ（ＰＦＡ）のような適切に堅いプラスチックが使用され得る。いくつかの実施形態において、取付具１０は、ライナー４のその他の部分よりも堅い材料から構成され得る。いくつかの実施形態において、取付具１０は、溶接または他の任意の適した方法または方法の組み合わせによって、ライナーにしっかりと密着され得る。いくつかの実施形態において、例えば、オーバーパックが、中心に位置する口または開口部を含む場合、取付具１０も、ライナーの上部パネルの中心に位置することにより、取付具溶接部に対するストレスを最小にし得る。しかしながら、上部パネル上に取付具１０を中心に配置することは、要求されない。上記に論じられたように、本開示のライナーのいくつかの実施形態は、公知のオーバーパックとの使用のために構成され得る。そのような実施形態において、ライナー４の取付具１０は、特定の公知のオーバーパック２の閉鎖具および／または接続具アセンブリ２４と適合性があるようにサイズを合わせられ、かつ形作られ得る。例えば、そのような公知のオーバーパックは、例えば、３／４インチ〜２インチの直径を有するライナー取付具１０と適合性があり得る。しかしながら、ライナー取付具１０が、所望のオーバーパック２と適合性があるように、任意の適した直径ならびに／または形状およびサイズを有し得ることが理解される。ライナー、オーバーパック、取付具、接続具／閉鎖具アセンブリのタイプ、およびそれらの使用の例は、ＰＣＴ特許出願第ＰＣＴ／ＵＳ１１／６４１４１号（２０１１年１２月９日出願、名称「Ｇｅｎｅｒａｌｌｙ  Ｃｙｌｉｎｄｒｉｃａｌｌｙ−Ｓｈａｐｅｄ  Ｌｉｎｅｒ  ｆｏｒ  Ｕｓｅ  ｉｎ  Ｐｒｅｓｓｕｒｅ  Ｄｉｓｐｅｎｓｅ  Ｓｙｓｔｅｍｓ  ａｎｄ  Ｍｅｔｈｏｄｓ  ｏｆ  Ｍａｎｕｆａｃｔｕｒｉｎｇ  ｔｈｅ  Ｓａｍｅ」）により詳細に提供され、これによって、それは、その全体が本明細書中に参照によって援用される。
【００１６】
ライナー、オーバーパック、取付具、接続具／閉鎖具アセンブリのタイプ、およびそれらの使用のさらなる例は、ＰＣＴ特許出願第ＰＣＴ／ＵＳ２００８／０８５２６４号（２００８年１２月２日出願、名称「Ｂｌｏｗ  Ｍｏｌｄｅｄ  Ｌｉｎｅｒ  ｆｏｒ  Ｏｖｅｒｐａｃｋ  Ｃｏｎｔａｉｎｅｒ  ａｎｄ  Ｍｅｔｈｏｄ  ｏｆ  Ｍａｎｕｆａｃｔｕｒｉｎｇ  ｔｈｅ  Ｓａｍｅ」）により詳細に提供され、これによって、それは、その全体が本明細書中に参照によって援用される。それに説明されているように、いくつかの実施形態において、本開示のライナーは、可撓な射出ブロー成形または射出ストレッチブロー成形されたライナーであり得、そのライナーは、従来の潰すことが可能なライナーに基づいたコンテナによって提示される多くの不利点を回避し、ライナー生産の間、低度の浪費を有する。フィルムを一緒に溶接することによって形成され、結果として生じる折目または継目を有する多くの従来のライナーとは異なり、これらの三次元（「３Ｄ」）ライナーは、オーバーパックの内部により良く従い、運送に誘発される破損を減らし得る。そのようなライナーは、好ましくは、ライナー壁が、例えば真空によって、容易に潰され得るように可撓であり得、ライナーのオーバーパック内への容易な挿入を可能にし得る。可撓性は、ライナー壁がオーバーパック内へ挿入されると再膨張することを可能にし得る。より具体的には、ライナーは、実質的にライナー壁への損傷なしに潰され、かつ再膨張し得る。
【００１７】
いくつかの実施形態において、ライナーの全体厚は、例えば、ドラム式オーバーパックと共に使用される従来のライナーよりも厚くあり得る。従来のライナーよりも大きな厚さを有するライナーの１つの利点は、増加した厚さが、充填中、保管中、移送中、および／または分配中に発生し得るピンホール（ライナーに形成され得る小さなホール）、フォールドガス、溶接裂目、および／またはガス拡散の発生を防止または低減することに役立ち得ることであり得る。ライナーの増加した厚さは、分配中のチョークオフを防止することにも役立ち得る。
【００１８】
本開示の実施形態の全体厚が従来のライナーの全体厚よりも大きくあり得るが、その厚さは、ライナーが潰された状態にある場合に、ライナーがオーバーパックのネックを通してオーバーパック内に挿入されること、またはオーバーパックから引き出されることを防止するほど大きくなくてもよい。したがって、ライナー４の任意の適した厚さが本開示によって想定される。例えば、いくつかの実施形態において、ライナー４は、約８０ミクロン〜約２８０ミクロンの全体厚を有し得る。さらなる実施形態において、ライナー４は、約１００ミクロン〜約２２０ミクロンの全体厚を有し得る。さらに別の実施形態において、ライナー４は、約１５０ミクロン〜約２００ミクロンの全体厚を有し得る。さらに別の実施形態において、ライナー４は、約１００ミクロン〜約１５０ミクロンの全体厚を有し得る。しかしながら、さらに厚いライナーが、特に、例えば、図示された開口部よりも大きな開口部を有するオーバーパック、および蓋または上部全体が開くオーバーパックと共に使用され得る。上記に説明された寸法にもかかわらず、任意の適したライナー厚さ（下限１ミル（２５．４ミクロン）の厚さ、または１ミル（２５．４ミクロン）よりもさらに小さい厚さ、または上限２２０ミクロンの厚さ、および２２０ミクロンよりも大きい厚さを含む）が本開示のライナーのために使用され得る。本明細書および本開示全体で使用される場合、範囲は、範囲内にあるすべての値を説明するための省略表現として使用され、範囲内の任意の値が範囲の境界として選択され得る。
【００１９】
本開示のライナー４は、１つまたは複数の適した材料から作製された、１つ、２つ、またはそれより多い層を含み得る。例えば、いくつかの実施形態において、ライナーは、２つまたはそれより多い層から成り得、そこで、２つまたはそれより多い層は同一の材料から作製され得るか、または異なる材料から作製され得る。１つまたは複数の層の各々は、任意の適した厚さを有し得る。２つまたはそれより多い層を有するいくつかの実施形態において、各層は、同一の厚さを有し得る一方、他の実施形態において、２つまたはそれより多い層は、異なる厚さを有し得る。いくつかの実施形態において、ライナーの１つまたは複数の層は、可塑剤、熱安定剤、着色剤、難燃剤、離型剤（ＤＭＰＳ）、および／または他の小型電子汚染物質（ｍｉｃｒｏｅｌｅｃｔｒｏｎｉｃ  ｃｏｎｔａｍｉｎａｎｔ）を含まなくてもよい。本開示のライナーの層の１つまたは複数の追加の特質は、ＰＣＴ特許出願第ＰＣＴ／ＵＳ２０１１／６４１４１号により詳細に説明され、それは、その全体が本明細書中に以前に援用された。
【００２０】
本開示のライナーは、概して滑らかな外側表面および／または内側表面を有する比較的に単純なデザインを有し得るか、またはライナーは、比較的に複雑なデザインを有し得、例えば、プリーツ、リッジ、刻目、および／または突起を含むが、これらに限定されない。例えば、一実施形態において、ライナーは、チョークオフを防止するためにテクスチャを付けられ、つまり、ライナー内に液体を閉じ込めて液体が適切に分配されることを妨げる態様で、ライナーが自身に対して潰されることを防止するために、ライナーは、テクスチャを付けられ得る。
【００２１】
本開示のライナーを構成するフィルムは、任意の適した工程または工程の組み合わせによって形成され得る。例えば、ライナーのフィルムは、共押出、押出ブロー成形、射出ブロー成形、共ブロー成形、デュアルブロー成形、射出ストレッチブロー成形、または他の任意の適した方法または方法の組み合わせによって形成され得る。本開示のフィルムおよび／またはライナーのタイプ、特質、および製造方法の例は、ＰＣＴ特許出願第ＰＣＴ／ＵＳ１１／５５５５８号（２０１１年１０月１０日出願、名称「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｅｎｈａｎｃｅｄ  Ｆｌｅｘｉｂｌｅ  Ｌｉｎｅｒｓ」）および米国特許出願第６１／４９９，２５４号（２０１１年６月２１日出願、名称「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｆｌｅｘｉｂｌｅ  Ｇｕｓｓｅｔｅｄ  ｏｒ  Ｎｏｎ−Ｇｕｓｓｅｔｅｄ  Ｌｉｎｅｒｓ」）により詳細に説明され、これによって、それらは、その全体が本明細書中に参照によって援用される。
【００２２】
使用時、ライナー４が潰された状態にある場合、ライナー４は、オーバーパック２のネック６を通してオーバーパック２内に挿入され得る。ライナー４がオーバーパック２の内部に配置されると、ライナー４は、拡張状態まで拡張され得る。いくつかの実施形態において、ライナーは、ライナーを所望の材料で充填する前に、きれいなガス（例えば、Ｎ２、またはきれいな乾燥空気であるが、これらに限定されない）を用いて膨張させられる一方、他の実施形態において、ライナーは、充填される化学物質を用いて拡張され得る。ライナー４が所望の材料で充填された後、オーバーパックの閉鎖具および／または接続具アセンブリ２４が、ライナー４の取付具１０に取り外し可能に固定され得る。それから、システム１００は、所望の位置まで移送されるか、または移送されるまで保管され得る。所望の位置に到着すると、ライナー４の内容物は、分配され得る。
【００２３】
本開示のライナーは、本明細書中に開示された、挿入の前にライナーを折り畳むことについての有利な方法の結果として、従来のライナーよりもオーバーパック内への挿入が比較的に容易であり得る。図２Ａ〜図２Ｆは、本開示の一実施形態に従った、オーバーパック内への挿入の前にライナーを折り畳む工程を図示する。底部、上部、上方、下方などの用語は、本開示を限定するように意図されず、むしろ特定の実施形態を説明するために使用されることが理解される。一実施形態において、および図２Ａ〜図２Ｆに示されるように、ライナーは、ライナーが拡張状態にある場合にオーバーパックのサイズおよび形状に実質的に従う略円筒形形状ライナーであり得る。したがって、ライナーは、形状が略管状であり得る本体部分を有し得、上部パネルおよび底部パネルが本体部分に取り付けられることにより、概して包囲された内部を有する円筒を形成し、そこで、ライナーの内容物は、上部パネルに取り付けられた取付具を通して分配され得る。そのようなライナーおよびそれを製造する方法のさらなる詳細は、ＰＣＴ特許出願第ＰＣＴ／ＵＳ１１／６４１４１号に提供され、それは、その全体が参照によって以前に援用された。上記に示されたように、代替のライナーは、ＰＣＴ特許出願第ＰＣＴ／ＵＳ２００８／０８５２６４号に詳細に説明され、それに従って製造された可撓なブロー成形されたライナーを含み得、ＰＣＴ特許出願第ＰＣＴ／ＵＳ２００８／０８５２６４号は、その全体が参照によって以前に援用された。図面が略円筒形形状ライナーを示しているが、他の幾何学形状が可能であり、本開示の精神および範囲内にあることが理解される。本開示のライナーの折畳パターンは、ライナー２００の底部パネルに形成されたガセット２０２を含み得る。ガセット２０２を形成するために、ライナー２００の底部における材料は、ライナー２００の斜視図を図示する図２Ａに見られ得るように、ライナー２００の内部へ概して上方に押し込まれ得る。同様に、１つまたは複数のガセット２０４が、ライナー２００の底部からの図を図示する図２Ｂに見られ得るように、ライナーの本体部分に形成され得る。円筒形の本体部分を参照する場合に「側面」について言うことは意味をなさないが、いくつかの例において、ライナーの本体部分は、略長方形であり得るか、または本体部分に側面を生成する別の幾何学形状であり得、その場合、本体部分は、上部パネルと底部パネルとの間に配置された複数の「側面」を有し得る。そのような場合、側面の１つまたは複数は、ガセットを付けられ得る。ライナーの底部および／またはライナーの本体部分に形成されたガセットは、いくつかの実施形態において、ライナーに生成された溶接部または継目において形成され得る一方、他の実施形態において、ガセットは、溶接部および継目において形成されなくてもよく、任意の溶接部および継目から離れた領域において形成されなくてもよい。それから、図２Ｃに見られ得るように、取付具２１４が、ライナー２００の本体部分から離れる方向に引かれ、それによって、取付具は、ライナーの本体から離れて配置される。ライナー２００は、図２Ｄに示されるように、実質的に平らまたは滑らかにされ得る。ライナー２００が滑らかにされると、ライナーは、底部からのライナーの図を図示する図２Ｅに見られ得るような略扇状またはアコーディオン状パターン２０６になるように折り畳まれ、または扇状に折り畳まれ得る。折り畳まれたライナーの、結果として生じる幅は、ライナーがオーバーパックの口内に容易に挿入され得るように任意の望ましい幅であり得る。いくつかの実施形態において、折り畳まれたライナーの、結果として生じる幅は、約５インチよりも小さくあり得る。さらに他の実施形態において、結果として生じる幅は、約３インチよりも小さくあり得る。さらなる実施形態において、結果として生じる幅は、約２インチよりも小さくあり得る。いくつかの実施形態において、ユーザは、オーバーパック内へ挿入されるようにライナーを折り畳み得る一方、他の実施形態において、ライナーは、パッケージされ得、いくつかの実施形態において、図２Ｆに見られ得るように、滅菌運送を含む運送のために、外側パッケージング２０８内において折り畳まれた状態で、真空パッケージされ得る。複数の折り畳まれたパッケージされたライナーは、ライナーの有利な平坦形状により、容易かつ効果的に保管および／または移送され得る。ライナーの意図された使用に応じて、ライナーは、滅菌されて、滅菌態様においてパッケージされ得る。
【００２４】
本開示の折り畳まれたライナーは、有利に、オーバーパックの口内に容易に挿入され得、最小の過剰でない材料がオーバーパックの挿入点において集積する。ユーザは、パッケージから折り畳まれたライナーを取り出し、オーバーパックの口内へ折り畳まれたライナーを挿入し得る。ユーザは、第一に、オーバーパックの口内にライナーの底部パネル端を容易に配置し、それから、オーバーパックの口内へライナーの残りの部分をスライドし得る。取付具は、取付具および／またはオーバーパックの口の構成に応じて、オーバーパックの口の外に残り得るか、またはオーバーパックの口に結合し得る。本開示の折り畳まれたライナーの比較的に容易な挿入に比べて、従来のライナーは、挿入中にライナーの口において「塊になる」過剰な材料を有する傾向にあり、ユーザが過剰な材料をオーバーパックの口内へ手で押し込むことを必要とする。本明細書中に議論されるように、いくつかの用途は、ライナーが滅菌されることを必要とし、したがって、ライナーが受けるストレスの量を増加させることは望ましくない。さらに、いくつかの用途は滅菌ライナーを必要としないが、依然として、例えば、食物または飲料を保管するために使用され得るライナーのようなライナーは、汚染物質がないことが望ましくあり得る。さらに、そのような使用に対して、ライナーがさらされる人との接触または機械的接触の量を最小にすることが望ましい。さらに、ライナーの使用目的にかかわらず、ライナーの無欠状態を維持することが重要である。ライナーを扱うことは、必ずライナーにストレスを与える。オーバーパック内への挿入の前に、本開示に従ってライナーを折り畳むことが、挿入中にライナーにかけられるストレスの量を最小にするので、本開示のライナーは、不必要に弱化されず、これによって、ライナーが挿入中に裂かれ、切断され、または別様に損傷され得るリスクを最小にし得る。
【００２５】
別の実施形態において、ライナー３００は、図３Ａに見られ得るように、ライナーの上部が下方に折り畳まれるように折り畳まれ得る。本実施形態において、ライナー３００は、上記に説明されたように、ライナーの本体に形成された底部ガセット３０２と、１つまたは複数のガセット３０４とを含むように折り畳まれ得る。上記にさらに説明されたように、ライナーは、実質的に平らまたは滑らかにされ得る。平らにする前、平らにしている間、および／または平らにした後、ライナーの上部部分３１８は、ライナーのガセットを付けられた本体の外側側面上に下向きに折り畳まれ得る。上記に述べられたように、円筒形の本体部分を参照する場合に「側面」について言うことは常に意味をなすわけではなく、本開示のライナーは、確かに、円筒形の本体部分に限定されない。しかしながら、概して理解されるように、ライナーの上部部分３１８は、上部部分の概して２つの実質的に類似したサイズの半体が、平らまたは滑らかにされたライナーの対向する側面上に至るように下向きに折り畳まれ得る。例えば、図示されるように、実質的に円筒形のライナーの上部部分は、２つの実質的に類似したサイズの半円形の半体が平らにされたライナーの対向する側面上に至るように折り畳まれ得る。取付具は、概して、２つの実質的に類似したサイズの半体を分割する折目において、ライナーの上部から上方に延びる位置に残り得る。２つの実質的に類似したサイズの半体になるように折り畳まれる上部部分に関して論じられたが、２つの部分は、サイズが類似する必要はなく、上部部分の２つよりも多い折り畳まれた部分が存在し得、その各々は、サイズが類似し得るか、または異なり得ることが認識される。以前に論じられた実施形態と同様に、ライナー３００が平らにされ、上部部分が、図３Ａにおける断面に概して図示されるように、ライナーの本体上に下向きに折り畳まれると、平らまたは滑らかにされたライナーは、（図２Ｅに示される扇状に折り畳まれたライナーと同様に）略扇状またはアコーディオン状パターンになるように、例えば、図３Ｂに図示された折畳パターンに沿って、扇状に折り畳まれ得る。折り畳まれたライナーの、結果として生じる幅は、ライナーがオーバーパックの口内に容易に挿入され得るように任意の望ましい幅であり得る。いくつかの実施形態において、折り畳まれたライナーの、結果として生じる幅は、約５インチよりも小さくあり得る。さらに他の実施形態において、結果として生じる幅は、約３インチよりも小さくあり得る。さらに他の実施形態において、結果として生じる幅は、約２インチよりも小さくあり得る。いくつかの実施形態において、ユーザは、オーバーパック内へ挿入されるようにライナーを折り畳み得る一方、他の実施形態において、ライナーは、滅菌運送を含む運送のために、折り畳まれた状態で、パッケージされ得る。
【００２６】
以前に論じられた実施形態の場合のように、折り畳まれたライナーは、オーバーパック内に挿入され、ライナー材料の最小の過剰でない塊がオーバーパックの口において発生する。ユーザは、第一に、オーバーパックの口内にライナーの底部パネル端を容易に配置し、それから、オーバーパックの口内にライナーの残りの部分をスライドし得る。取付具は、取付具および／またはオーバーパックの口の構成に応じて、オーバーパックの口に結合され得る。図４Ａは、オーバーパック４０２内に挿入された本実施形態のライナー３００を示す。見られ得るように、いくつかの実施形態において、本開示の利点は、折畳パターンが、折り畳まれたライナーの長さがオーバーパックの高さよりも小さいことを保証するように構成され得、したがって、ライナーの底部３２２が、初めはオーバーパックの底部３４２に到達しないことがあることである。オーバーパック４０２内に配置されると、ユーザは、ライナーを所望の物質で充填する前に、例えばきれいな乾燥空気を使用してライナー３００を膨張させ得る。他の場合において、ユーザは、初めに、オーバーパック内においてライナーを所望の物質を用いて膨張させ得る。図４Ａ〜図４Ｆは、本明細書中に説明された折畳パターンにより、膨張の際に、どのようにライナーが有利に展開し得るかを示す。特に図４Ａ〜図４Ｃに見られ得るように、ライナーの折畳パターンと、オーバーパックの内部高さよりも初めは小さい折り畳まれたライナー長さとにより、ライナーの側面が実質的に拡張してオーバーパックの側面に接近する前に、またはライナーの上部が実質的に拡張してオーバーパックの上部に接近する前に、ライナーの底部３２２が、概して、初めに展開し始め、オーバーパックの底部３４２の方へ拡張する。ライナーの底部３２２がオーバーパックの底部３４２に近づき、かつ／または到達し、ライナーがその方向にもはや拡張しない場合、図４Ｄ〜図４Ｆに見られるように、ライナーの側面および上部が、より完全な膨張をし始め、オーバーパックの壁に接近する。本開示の折畳パターンは、ライナーがオーバーパックの形状に実質的に従い、有利に従う形状までより実質的に拡張するように構成されることを可能にする。そのような態様において折り畳まれたライナーの拡張は、予測可能かつ／または反復可能な折畳および膨張パターンを有し得る。
【００２７】
いくつかの実施形態において、ライナーの折畳パターンまたは折曲部を概して画定する折目線または事前折目は、ライナーの適切な折り畳みを補助するためにライナー内に製造され得る。特定の実施形態において、事前折目は、ブロー成形されたライナー実施形態のブロー成形またはストレッチブロー成形中にライナー内に形成され得、ブロー成形されたライナー実施形態は、上記およびＰＣＴ特許出願第ＰＣＴ／ＵＳ２００８／０８５２６４号にさらに詳細に説明され、ＰＣＴ特許出願第ＰＣＴ／ＵＳ２００８／０８５２６４号は、本明細書中に参照によって以前に援用された。ブロー成形によって、本開示に従ったそのような折目線または事前折目パターンを有するコンテナの実施形態を製造するために、１つの製造方法は、結果として生じるコンテナの完全に拡張した状態と完全に潰された状態との間のいくつかの中間状態において型どられた型において、コンテナをブロー成形することを含み得る。この中間状態における型においてコンテナをブロー成形することは、折目線またはパターンの形成を補助し得る。
【００２８】
本開示のライナーの内容物は、例えば、直接または間接圧力分配、圧力補助ポンプ分配、ポンプ分配、または他の任意の方法を含む、任意の公知かつ所望の方法によって分配され得る。本明細書中に開示されたライナーに基づいたシステムとの組み合わせにおいて使用され得る分配のタイプ、閉鎖具および／または接続具アセンブリ、および関連した分配構成要素のさらなる詳細は、国際特許出願第ＰＣＴ／ＵＳ１１／６４１４１号に提供され、それは、その全体が参照によって以前に援用された。
【００２９】
本開示のライナーの内容物を分配するために要求される圧力の量は、ライナーを潰すために要求される力に依存し得、その力は、ライナーの厚さおよび／または組成に依存し得る。いくつかの実施形態において、ライナーの内容物は、任意の適した圧力において分配され得る。例えば、一実施形態において、内容物は、約７ｐｓｉｇ〜約３０ｐｓｉｇにおいて分配され得る。
【００３０】
さらなる実施形態において、本開示のライナーに基づいたシステムは、米国特許出願第１１／９１５，９９６号（２００６年６月５日出願、名称「Ｆｌｕｉｄ  Ｓｔｏｒａｇｅ  ａｎｄ  Ｄｉｓｐｅｎｓｉｎｇ  Ｓｙｓｔｅｍｓ  ａｎｄ  Ｐｒｏｃｅｓｓｅｓ」）に開示されたようなＮＯＷＰａｋ（登録商標）圧力分配システムと適合性があるように構成され得、これによって、その米国特許出願第１１／９１５，９９６号は、その全体が本明細書中に参照によって援用される。本開示のライナーに基づいたシステムと共に使用され得る誤接続防止接続具のサンプルは、Ｄａｎｂｕｒｙ、ＣｏｎｎｅｃｔｉｃｕｔのＡＴＭＩのもの、または国際特許出願第ＰＣＴ／ＵＳ０７／７０９１１号（２００７年６月１１日出願）、米国特許出願第６０／８１３，０８３号（２００６年６月１３日出願）、米国特許出願第６０／８２９，６２３号（２００６年１０月１６日出願）、および米国特許出願第６０／８８７，１９４号（２００７年１月３０日出願）に開示されたものであり得、これによって、これらの出願はすべて、その全体が本明細書中に参照によって援用される。
【００３１】
本開示のいくつかの実施形態は、チョークオフをさらに低減または排除する構成要素または方法をさらに含み得る。チョークオフは、ライナーがくびれて、自身、つまりライナー内部の構造に対して最終的に潰されることにより、実質的な量の液体の上方に配置されたチョーク点を形成する場合に発生するものとして説明され得る。チョークオフを防止または対処する種々の方法は、ＰＣＴ出願第ＰＣＴ／ＵＳ０８／５２５０６号（国際出願日２００８年１月３０日、名称「Ｐｒｅｖｅｎｔｉｏｎ  Ｏｆ  Ｌｉｎｅｒ  Ｃｈｏｋｅ−ｏｆｆ  Ｉｎ  Ｌｉｎｅｒ−ｂａｓｅｄ  Ｐｒｅｓｓｕｒｅ  Ｄｉｓｐｅｎｓａｔｉｏｎ  Ｓｙｓｔｅｍ」、その全体が本明細書中に参照によって援用される）およびＰＣＴ出願第ＰＣＴ／ＵＳ１１／６４１４１号（その全体が参照によって以前に援用された）に説明される。チョークオフを制限または排除する構成要素および／または方法の追加の例はまた、国際特許出願第ＰＣＴ／ＵＳ１１／５５５５８号および米国特許出願第６１／４９９，２５４号に詳細に説明され、それらは、本明細書中に参照によって以前に援用された。
【００３２】
本発明が好ましい実施形態に関して説明されてきたが、当業者は、本発明の精神および範囲から逸脱することなく、形態および詳細において、変更がなされ得ることを認識する。
【図１】
0005759081.tif 000002
【図２Ａ】
0005759081.tif 000003
【図２Ｂ】
0005759081.tif 000004
【図２Ｃ】
0005759081.tif 000005
【図２Ｄ】
0005759081.tif 000006
【図２Ｅ】
0005759081.tif 000007
【図２Ｆ】
0005759081.tif 000008
【図３Ａ】
0005759081.tif 000009
【図３Ｂ】
0005759081.tif 000010
【図４Ａ】
0005759081.tif 000011
【図４Ｂ】
0005759081.tif 000012
【図４Ｃ】
0005759081.tif 000013
【図４Ｄ】
0005759081.tif 000014
【図４Ｅ】
0005759081.tif 000015
【図４Ｆ】
0005759081.tif 000016